(57)【要約】【課題】  有機ＥＬ素子の破壊を防止するとともに、クロストークを防止し、かつ、消費電力を低減できる電気光学装置を駆動する駆動回路を提供すること。【解決手段】  走査線駆動回路１０およびデータ線駆動回路２０は、複数の走査線Ｙ１〜Ｙｍと、複数のデータ線Ｘ１〜Ｘｎと、ダイオードＤを含む表示パネル３０とを備えた電気光学装置１を駆動する。このうち、データ線駆動回路２０は、ダイオードＤに電流を供給する電流供給装置２１と、データ線Ｘ１〜Ｘｎを流れる一定電流を吸い込む吸い込み装置２４と、特定のデータ線Ｘ１を選択し、この選択したデータ線Ｘ１を電流供給装置２１に接続し、非選択のデータ線Ｘ２〜Ｘｎを吸い込み装置２４に接続するデータ線切替装置２２と、を備える。吸い込み装置２４は、選択した走査線Ｙ２に係る非選択のダイオードＤＤが発光しない程度に、一定電流を吸い込む。【選択図】        図１
2006235163.tif 000002
【特許請求の範囲】
【請求項１】
複数の走査線と、複数のデータ線と、前記走査線と前記データ線との交差に対応して設けられた有機ＥＬ素子を含む表示部とを備えた電気光学装置を駆動する駆動回路であって、
前記走査線に電圧を印加する印加手段と、
前記走査線のうち特定の走査線を選択し、この選択した走査線を接地し、非選択の走査線を前記印加手段に接続する走査線切替手段と、
前記データ線を介して前記有機ＥＬ素子に電流を供給することにより前記有機ＥＬ素子を発光させる電流供給手段と、
前記データ線を流れる電流を吸い込む吸い込み手段と、
前記データ線のうち特定のデータ線を選択し、この選択したデータ線を電流供給手段に接続し、非選択のデータ線を前記吸い込み手段に接続するデータ線切替手段と、を備え、
前記吸い込み手段は、前記選択した走査線に係る非選択の有機ＥＬ素子が発光しない程度に、一定電流を吸い込むことを特徴とする駆動回路。
【請求項２】
請求項１に記載の駆動回路において、
前記吸い込み手段は、前記選択した走査線に係る非選択の有機ＥＬ素子にかかる電圧が発光閾値と略同一になるように、一定電流を吸い込むことを特徴とする駆動回路。
【請求項３】
請求項１または２に記載の駆動回路において、
前記吸い込み手段は、前記データ線のうち２以上のデータ線に共通に設けられることを特徴とする駆動回路。
【請求項４】
請求項１から３のいずれかに記載の駆動回路において、
前記走査線切替手段は、前記非選択の走査線を前記印加手段に接続することにより、前記非選択の走査線に係る有機ＥＬ素子に逆バイアス電圧を印加することを特徴とする駆動回路。
【請求項５】
請求項１から４のいずれかに記載の駆動回路を備えたことを特徴とする電気光学装置。
【請求項６】
請求項５に記載の電気光学装置を備えたことを特徴とする電子機器。
【請求項７】
複数の走査線と、複数のデータ線と、前記走査線と前記データ線との交差に対応して設けられた有機ＥＬ素子を含む表示部とを備えた電気光学装置の駆動方法であって、
前記走査線のうち特定の走査線を選択し、この選択した走査線を接地するとともに、非選択の走査線に逆バイアス電圧を印加する走査線切替手順と、
前記データ線のうち特定のデータ線を選択し、この選択したデータ線に電流を供給して有機ＥＬ素子を発光させるとともに、非選択のデータ線に流れる電流を吸い込むデータ線切替手順と、を備え、
このデータ線切替手順では、前記選択した走査線に係る非選択の有機ＥＬ素子が発光しない程度に、一定電流を吸い込むことを特徴とする電気光学装置の駆動方法。
【請求項８】
請求項７に記載の電気光学装置の駆動方法において、
前記データ線切替手順では、前記選択した走査線に係る非選択の有機ＥＬ素子にかかる電圧が発光閾値と略同一になるように、一定電流を吸い込むことを特徴とする電気光学装置の駆動方法。
【発明の詳細な説明】
【技術分野】
【０００１】
本発明は、複数の走査線と、複数のデータ線と、前記走査線と前記データ線との交差に対応して設けられた有機ＥＬ素子を含む表示部とを備えた電気光学装置、電気光学装置を駆動する駆動回路およびその駆動方法に関する。
【背景技術】
【０００２】
従来より、オーディオ機器や携帯用機器等の電子機器において、フラットパネル型のディスプレイ装置が広く用いられている。このディスプレイ装置として、有機エレクトロルミネッセント（Electroluminescent；以下、ＥＬと呼ぶ。）素子を用いたものがある。この有機ＥＬ素子は自発光素子であり、有機ＥＬ素子を用いたディスプレイ装置は、視野角が大きく、装置自体を薄くできるので、次世代のディスプレイ装置として注目されている。
【０００３】
上述した有機ＥＬ素子を含む電気光学装置の駆動方法としては、単純マトリクス方式と、アクティブマトリクス方式とがある。このうち、単純マトリクス方式の電気光学装置は、例えば、以下のような構造である。
【０００４】
図６は、従来例に係る電気光学装置１００の回路図である。
電気光学装置１００は、一定間隔おきに配設されたｍ本の走査線Ｙ１〜Ｙｍと、この走査線Ｙ１〜Ｙｍに略直交し一定間隔おきに配設されたｎ本のデータ線Ｘ１〜Ｘｎと、これら走査線Ｙ１〜Ｙｍとデータ線Ｘ１〜Ｘｎとの交差に対応して設けられた有機ＥＬ素子を含む表示パネル１３０と、走査線Ｙ１〜Ｙｍを駆動する走査線駆動回路１１０と、データ線Ｘ１〜Ｘｎを駆動するデータ線駆動回路１２０とを備える。
【０００５】
表示パネル１３０は、各データ線Ｘ１〜Ｘｎに接続された陽極と、この陽極に対向配置され走査線Ｙ１〜Ｙｍに接続された陰極と、これら陽極と陰極との間に形成された有機ＥＬ素子からなる発光層とを含んで構成される。
図７は、有機ＥＬ素子の電圧Ｖ−電流Ｉ（輝度Ｌ）特性を示す図である。
有機ＥＬ素子は、図７に示すように、整流特性を有する。すなわち、有機ＥＬ素子は、順方向に発光しきい値Ｖｔｈ以上の電圧が印加されると、電流が流れて、この電流に応じた輝度で発光するが、逆方向に電圧が印加されても、ほとんど電流が流れず発光しない。このように、有機ＥＬ素子は、電流に依存した輝度特性を持っており、発光ダイオード（ＬＥＤ）と同じ電気的動作をするため、図６では、ダイオードＤとして表現されている。
【０００６】
走査線駆動回路１１０は、一定電圧Ｖｄｄを印加する第１印加装置１１１と、走査線Ｙ１〜Ｙｍのうち選択された走査線Ｙを接地するとともに、非選択の走査線Ｙを印加装置１１１に接続する走査線切替装置１１２と、を備える。なお、図６では、走査線切替装置１１２が走査線Ｙ２を選択した状態が示されている。
【０００７】
データ線駆動回路１２０は、一定電流を供給する電流供給装置１２１と、一定電圧を印加する第２印加装置１２３と、データ線Ｘ１〜Ｘｎのうち選択されたデータ線Ｘを電流供給装置１２１および第２印加装置１２３に接続するデータ線切替装置１２２と、を備える。なお、図６では、データ線切替装置１２２がデータ線Ｘ１を選択した状態が示されている。
【０００８】
単純マトリクス方式の電気光学装置１００によれば、走査線切替装置１１２で走査線Ｙ２を選択し、この選択した走査線Ｙ２を接地し、非選択の走査線Ｙ１、Ｙ３〜Ｙｍを第１印加装置１１１に接続する。この状態で、データ線切替装置１２２により、任意のデータ線Ｘ１を選択して、選択したデータ線Ｘ１を、所定期間、電流供給装置１２１および第２印加装置１２３に接続し、非選択のデータ線Ｘ２〜Ｘｎをオープン状態にする。
これにより、電流供給装置１２１から、選択した走査線Ｙ２およびデータ線Ｘ１の交差に対応したダイオードＤＡを通って、ＧＮＤに電流が流れて、このダイオードＤＡが発光する。このように、選択したダイオードＤＡのみが所定期間発光する。
【０００９】
しかしながら、単純マトリクス方式のディスプレイでは、例えば、図６中破線で示す経路で、非選択の各ダイオードＤＢに逆バイアス電圧による電流が流れ、そのｍ−１本分の電流が、非選択のダイオードＤＣに流れて発光する場合がある（クロストーク）。
この現象を、図７のＶ−Ｉ特性図上で説明する。
破線で示す逆バイアス特性は、ｍ−１本分の逆バイアス特性である。また、印加電圧Ｖｄｄは、図７に示すように、順バイアス電圧と逆バイアス電圧との合計として表すことができる。ここで、印加電圧Ｖｄｄを、逆バイアス特性の電流と順バイアス特性の電流とが同一になるようにとる。すると、図６中の非選択のダイオードＤＣは、発光閾値以上の順バイアス電圧Ｖ０となり、発光閾値Ｖｔｈに対応する電流値Ｉｃより大きい電流Ｉ２が流れて発光してしまうのである。
また、以上より、印加電圧Ｖｄｄが大きくなるほど、また、非選択のダイオードＤＢの数が多くなるほど、電流Ｉ２は大きくなり、クロストークによる発光輝度も高くなってしまう。
【００１０】
このような問題を解決するため、図８に示すように、データ線切替装置１２２Ａによって、非選択のデータ線Ｘを接地する方法が提案されている（特許文献１、２参照）。
この方法によれば、非選択のデータ線に流れるリーク電流を全てＧＮＤに流すことができるから、ダイオードＤＣに電流が流れることはない。
【特許文献１】特開平６−３０１３５５号公報
【特許文献２】特開２０００−１９４３２１号公報
【発明の開示】
【発明が解決しようとする課題】
【００１１】
しかしながら、特許文献１、２で提案された方法では、非選択のダイオードＤＢには、大きな逆バイアス電圧Ｖｄｄがかかることになり、これらダイオードＤＢに大きな負担がかかって、素子が破壊されるおそれがある。特に、表示パネルを大型化する場合や、燐光材料を有機ＥＬ材料として用いる場合には、上述した逆バイアス電圧を大きくする必要があるので、このような問題が顕著となる。
また、リーク電流は常に流れるため、非選択のダイオードＤＢ、ＤＣで一定の電力が消費される。
【００１２】
本発明は、有機ＥＬ素子の破壊を防止するとともに、クロストークを防止し、かつ、消費電力を低減できる電気光学装置、電気光学装置を駆動する駆動回路およびその駆動方法を提供することを目的とする。
【課題を解決するための手段】
【００１３】
本発明の駆動回路は、複数の走査線と、複数のデータ線と、前記走査線と前記データ線との交差に対応して設けられた有機ＥＬ素子を含む表示部とを備えた電気光学装置を駆動する駆動回路であって、前記走査線に電圧を印加する印加手段と、前記走査線のうち特定の走査線を選択し、この選択した走査線を接地し、非選択の走査線を前記印加手段に接続する走査線切替手段と、前記データ線を介して前記有機ＥＬ素子に電流を供給することにより前記有機ＥＬ素子を発光させる電流供給手段と、前記データ線を流れる電流を吸い込む吸い込み手段と、前記データ線のうち特定のデータ線を選択し、この選択したデータ線を電流供給手段に接続し、非選択のデータ線を前記吸い込み手段に接続するデータ線切替手段と、を備え、前記吸い込み手段は、前記選択した走査線に係る非選択の有機ＥＬ素子が発光しない程度に、一定電流を吸い込むことを特徴とする。
【００１４】
この発明によれば、一定電流を吸い込む吸い込み手段を設け、この吸い込み手段に非選択のデータ線を接続したので、非選択のデータ線や走査線に流れるリーク電流の値を一定に制限できるから、リーク電流を低減して、消費電力を低減できる。
【００１５】
また、吸い込み手段で選択した走査線に係る非選択の有機ＥＬ素子が発光しない程度に一定電流を吸い込んだので、この有機ＥＬ素子にリーク電流が集中しても、有機ＥＬ素子が発光するのを防止できるから、クロストークを防止できる。
【００１６】
また、非選択の走査線に係る有機ＥＬ素子にかかる逆バイアス電圧を、吸い込み手段による電圧分だけ低減できるから、逆バイアス電圧を大きくしても、これらの有機ＥＬ素子が破壊されるのを防止できる。
【００１７】
本発明では、前記吸い込み手段は、前記選択した走査線に係る非選択の有機ＥＬ素子にかかる電圧が発光閾値と略同一になるように、一定電流を吸い込むことが好ましい。
【００１８】
選択した走査線に係る非選択の有機ＥＬ素子にかかる電圧が発光閾値を超えると、この有機ＥＬ素子が発光してしまう。一方、選択した走査線に係る非選択の有機ＥＬ素子にかかる電圧が発光閾値を大きく下回ると、非選択の走査線に係る有機ＥＬ素子にかかる逆バイアス電圧が大きくなってしまい、これらの有機ＥＬ素子が損傷するおそれがある。
この発明によれば、吸い込み手段で、選択した走査線に係る非選択の有機ＥＬ素子にかかる電圧が発光閾値と略同一になるように、一定電流を吸い込んだので、選択した走査線に係る非選択の有機ＥＬ素子が発光するのを防止しつつ、非選択の走査線に係る有機ＥＬ素子にかかる逆バイアス電圧を小さくして、素子が損傷するのを防止できる。
【００１９】
本発明では、前記吸い込み手段は、前記データ線のうち２以上のデータ線に共通に設けられることが好ましい。
【００２０】
この発明によれば、１つの吸い込み手段で複数のデータ線に対応できるから、駆動回路を簡易な構造にできる。
【００２１】
本発明では、前記走査線切替手段は、前記非選択の走査線を前記印加手段に接続することにより、前記非選択の走査線に係る有機ＥＬ素子に逆バイアス電圧を印加することが好ましい。
【００２２】
この発明によれば、非選択の走査線に係る有機ＥＬ素子に逆バイアス電圧を印加したので、これら非選択の走査線に係る有機ＥＬ素子が発光するのを防止できる。
【００２３】
本発明の電気光学装置の駆動方法（請求項７、８）は、上述した電気光学装置の駆動回路（請求項１、２）を、電気光学装置の駆動方法として展開したものである。この電気光学装置の駆動方法によれば、上述した電気光学装置の駆動回路で述べた効果と同様の効果を奏することができる。
【発明を実施するための最良の形態】
【００２４】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の一実施形態に係る駆動回路が適用された電気光学装置１を示す回路図である。
電気光学装置１は、一定間隔おきに配設されたｍ本の走査線Ｙ１〜Ｙｍと、この走査線Ｙ１〜Ｙｍに略直交し一定間隔おきに配設されたｎ本のデータ線Ｘ１〜Ｘｎと、これら走査線Ｙ１〜Ｙｍとデータ線Ｘ１〜Ｘｎとの交差に対応して設けられた有機ＥＬ素子を含む表示部としての表示パネル３０と、走査線Ｙ１〜Ｙｍを駆動する走査線駆動回路１０と、データ線Ｘ１〜Ｘｎを駆動するデータ線駆動回路２０と、を備える。
【００２５】
表示パネル３０は、各データ線Ｘ１〜Ｘｎに接続された陽極と、この陽極に対向配置され走査線Ｙ１〜Ｙｎに接続された陰極と、これら陽極と陰極との間に形成された有機ＥＬ素子からなる発光層とを含んで構成される。
【００２６】
走査線駆動回路１０は、一定電圧を印加する第１印加装置１１と、走査線Ｙ１〜Ｙｍのうち選択した走査線Ｙを接地するとともに、非選択の走査線Ｙを印加装置１１に接続する走査線切替装置１２と、を備える。なお、図１では、走査線切替装置１２が走査線Ｙ２を選択した状態が示されている。
【００２７】
データ線駆動回路２０は、一定電流を供給する電流供給装置２１と、一定電圧を印加する第２印加装置２３と、一定電流を吸い込む吸い込み手段としての吸い込み装置２４と、データ線Ｘ１〜Ｘｎのうち選択したデータ線Ｘを電流供給装置２１および第２印加装置２３に接続し、非選択のデータ線Ｘを吸い込み装置２４に接続するデータ線切替装置２２と、を備える。なお、図１では、データ線切替装置２２がデータ線Ｘ１を選択した状態が示されている。
【００２８】
ここで、有機ＥＬ素子は、上述したように整流特性を有するため、図６と同様に、図１ではダイオードＤとして表現されている。このうち、発光対象となっているダイオードＤを、ダイオードＤＡとする。また、走査線切替装置１２で選択した走査線Ｙ２に係る非選択のダイオードＤを、ダイオードＤＤとする。また、非選択の走査線Ｙ１、Ｙ３〜Ｙｍに係るダイオードＤを、ダイオードＤＥとする。
【００２９】
吸い込み装置２４は、選択した走査線Ｙ２に係る非選択のダイオードＤＤが発光しない程度に、一定電流を吸い込む。具体的には、吸い込み装置２４は、ダイオードＤＤにかかる電圧が発光閾値と略同一になるように、一定電流Ｉｏで吸い込んでいる。
【００３０】
この電気光学装置１は、以下のように動作する。
走査線切替装置１２で走査線Ｙ２を選択し、選択した走査線Ｙ２を接地し、非選択の走査線Ｙ１、Ｙ３〜Ｙｍを第１印加装置１１に接続する。この状態で、データ線切替装置２２により、任意のデータ線Ｘ１を選択して、選択したデータ線Ｘ１を、所定期間、電流供給装置２１および第２印加装置２３に接続し、非選択のデータ線Ｘ２〜Ｘｎを吸い込み装置２４に接続する。
これにより、ここでは、電流供給装置２１から、選択した走査線Ｙ２およびデータ線Ｘ１の交差に対応したダイオードＤＡを通って、ＧＮＤに電流が流れて、このダイオードＤＡが発光する。このように、選択したダイオードＤＡのみが所定期間発光する。
【００３１】
本実施形態によれば、以下のような効果がある。
一定電流を吸い込む吸い込み装置２４を設け、この吸い込み装置２４に非選択のデータ線Ｘ２〜Ｘｎを接続したので、非選択のデータ線Ｘ２〜Ｘｎに流れるリーク電流の値を一定にできるから、リーク電流を低減して、消費電力を低減できる。
【００３２】
また、吸い込み装置２４で、選択した走査線Ｙ２に係る非選択のダイオードＤＤが発光しない程度に一定電流を吸い込んだので、これらダイオードＤＤにリーク電流が集中しても、ダイオードＤＤが発光するのを防止できるので、クロストークを防止できる。
【００３３】
また、非選択の走査線Ｙ１、Ｙ３〜Ｙｍに係るダイオードＤＥにかかる逆バイアス電圧を、吸い込み装置２４による電圧分だけ低減できるから、逆バイアス電圧を大きくしても、これらのダイオードＤＥが破壊されるのを防止できる。
【００３４】
吸い込み装置２４で、選択した走査線Ｙ２に係る非選択のダイオードＤＤにかかる電圧が発光閾値と略同一になるように調整したので、非選択のダイオードＤＤが発光するのを防止しつつ、他のダイオードＤＥにかかる逆バイアス電圧を小さくして、素子が損傷するのを防止できる。
【００３５】
第１印加装置１１で非選択の走査線Ｙ１、Ｙ３〜Ｙｍに係るダイオードＤに逆バイアス電圧を印加したので、これら非選択の走査線Ｙ１、Ｙ３〜Ｙｍに係るダイオードＤが発光するのを防止できる。
【００３６】
なお、本発明は前記実施形態に限定されるものではなく、本発明の目的を達成できる範囲での変形、改良等は本発明に含まれるものである。
例えば、前記実施形態では、吸い込み装置２４を各データ線Ｘごとに設けたが、これに限らず、吸い込み装置２４Ａを２以上のデータ線Ｘに共通に設けてもよい。すなわち、図２に示すように、吸い込み装置２４Ａは２つのデータ線Ｘに共通に設けられている。
このようにしても、前記実施形態で述べた効果に加え、１つの吸い込み装置２４Ａで２つのデータ線Ｘに対応できるから、電気光学装置１を簡易な構造にできる、という効果がある。
【００３７】
次に、上述した実施形態および応用例に係る電気光学装置１を適用した電子機器について説明する。
図３に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１およびキーボード２００２が設けられている。
【００３８】
図４に、電気光学装置１を適用した携帯電話機の構成を示す。携帯電話機３０００は、複数の操作ボタン３００１およびスクロールボタン３００２、ならびに表示ユニットとしての電気光学装置１を備える。スクロールボタン３００２を操作することによって、電気光学装置１に表示される画面がスクロールされる。
図５に、電気光学装置１を適用した情報携帯端末（ＰＤＡ：Personal  Digital  Assistants）の構成を示す。情報携帯端末４０００は、複数の操作ボタン４００１および電源スイッチ４００２、ならびに表示ユニットとしての電気光学装置１を備える。電源スイッチ４００２を操作すると、住所録やスケジュール帳といった各種の情報が電気光学装置１に表示される。
【００３９】
なお、電気光学装置１が適用される電子機器としては、図３〜図５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１が適用可能である。
【図面の簡単な説明】
【００４０】
【図１】本発明の一実施形態に係る駆動回路が適用された電気光学装置の回路図である。
【図２】本発明の変形例に係る電気光学装置の回路図である。
【図３】前記した電気光学装置を適用したモバイル型のパーソナルコンピュータの構成を示す斜視図である。
【図４】前記した電気光学装置を適用した携帯電話機の構成を示す斜視図である。
【図５】前記した電気光学装置を適用した情報携帯端末の構成を示す斜視図である。
【図６】本発明の第１の従来例に係る電気光学装置の回路図である。
【図７】有機ＥＬ素子の電圧Ｖ−電流Ｉ（輝度Ｌ）特性を示す図である。
【図８】本発明の第２の従来例に係る電気光学装置の回路図である。
【符号の説明】
【００４１】
１…電気光学装置、１０…走査線駆動回路（駆動回路）、１１…第１印加装置（印加手段）、１２…走査線切替装置（走査線切替手段）、２０…データ線駆動回路（駆動回路）、２１…電流供給装置（電流供給手段）、２２…データ線切替装置（データ線切替手段）、２４、２４Ａ…吸い込み装置（吸い込み手段）、３０…表示パネル（表示部）、Ｄ…ダイオード（有機ＥＬ素子）、Ｖｔｈ…発光閾値、Ｘ１〜Ｘｎ…データ線、Ｙ１〜Ｙｍ…走査線。
【図１】
2006235163.tif 000003
【図２】
2006235163.tif 000004
【図３】
2006235163.tif 000005
【図４】
2006235163.tif 000006
【図５】
2006235163.tif 000007
【図６】
2006235163.tif 000008
【図７】
2006235163.tif 000009
【図８】
2006235163.tif 000010